(57)【要約】【課題】  本発明は、色空間変換と色度座標値比較の動作を利用し、基準表示装置の色特性に基づいて目標表示装置の目標ガンマ曲線を設定するための色補正方法を掲示する。【解決手段】  本発明で掲示した色補正方法は、目標表示装置の色特性を基準表示装置の色特性を実質的に同一にするために、白画面の各種のグレーレベルのみ測定し、異なった色空間の変換と色度座標値の比較を利用し、基準表示装置の色特性に基づいて目標表示装置のＲ、Ｇ、Ｂ目標ガンマ曲線を設定することができる。したがって、本発明による色補正方法は目標表示装置の色特性を補正するに必要な測定データと時間を有効に節減することができる。【選択図】  図４
2008312196.tif 000002
【特許請求の範囲】
【請求項１】
目標表示装置の目標ガンマ曲線を設定するための色補正方法であって、
基準表示装置において複数の第一入力信号にそれぞれ対応する複数の第一パターンを出力するために、複数の第一入力信号を基準表示装置に入力する段階と、
第一色空間に対応する複数組の第一色度座標値を生成するために、複数の第一パターンをそれぞれ測定する段階と、
基準表示装置において、第二色空間に対応する複数のガンマ曲線にそれぞれ対応する複数の第二パターンを出力するために、目標表示装置の複数のガンマ曲線をそれぞれ設定し、複数の第二入力信号を目標表示装置に出力する段階と、
複数の第二パターンをそれぞれ測定して第一色空間に対応する複数組の第二色度座標値を生成する段階と、
複数組の第一色度座標値と複数組の第二色度座標値をそれぞれ、両方とも第二色空間に対応する複数組の第三色度座標値と複数組の第四色度座標値に変換する段階と、
複数組の第三色度座標値と複数組の第四色度座標値を比較して第二色空間に対応する少なくとも１本の目標ガンマ曲線を生成する段階とを含むことを特徴とする色補正方法。
【請求項２】
前記第一色度空間における各色度座標値は線形従属であって、前記第二色度空間における各色度座標値は線形独立であることを特徴とする請求項１に記載の色補正方法。
【請求項３】
前記第一色空間はＣＩＥ−ｘｙＹ色空間であることを特徴とする請求項２に記載の色補正方法。
【請求項４】
前記第二色空間はＣＩＥ−ＲＧＢ色空間であることを特徴とする請求項２に記載の色補正方法。
【請求項５】
前記複数組の第一色度座標値と複数組の第二色度座標値をそれぞれ、複数組の第三色度座標値と複数組の第四色度座標値に変換する段階は更に、
複数組の第一色度座標値と複数組の第二色度座標値をそれぞれ、両方とも第三色空間に対応する複数組の第五色度座標値と複数組の第六色度座標値に変換する段階と、
複数組の第五色度座標値と複数組の第六色度座標値をそれぞれ、複数組の第三色度座標値と複数組の第四色度座標値に変換する段階とを含むことを特徴とする請求項１に記載の色補正方法。
【請求項６】
前記第三色空間はＣＩＥ−ＸＹＺ色空間であることを特徴とする請求項５に記載の色補正方法。
【請求項７】
前記複数の第二パターンをそれぞれ測定して複数組の第二色度座標値を生成する段階は更に、
複数の第二パターンをそれぞれ測定して対応する基準色度座標値を生成する段階と、
複数組の第二色度座標値を生成するために、複数の第二パターンに対応する複数の基準色度座標値に対して線形補間動作を実行する段階とを含むことを特徴とする請求項１に記載の色補正方法。
【請求項８】
前記複数組の第二色度座標値を複数組の第四色度座標値に変換する段階は更に、
複数組の第二色度座標値をそれぞれ、複数組の第五色度座標値に変換する段階と、
複数組の第四色度座標値を生成するために、複数の第五色度座標値に対して線形補間動作を実行する段階とを含むことを特徴とする請求項１に記載の色補正方法。
【請求項９】
前記複数のガンマ曲線はそれぞれ、すべての入力が同じ出力に対応することを定めることを特徴とする請求項１に記載の色補正方法。
【請求項１０】
前記色補正方法は更に、
基準表示装置において複数の第一入力信号にそれぞれ対応する複数の第三パターンを出力するために、複数の第一入力信号を基準表示装置に入力する段階と、
複数の第三パターンをそれぞれ測定して第一色空間に対応する複数組の第五色度座標値を生成する段階と、
複数組の第五色度座標値を、第二色空間に対応する複数の第六色度座標値に変換する段階と、
第二色空間に対応する目標ガンマ曲線を生成する段階とを含み、そのうち第二色空間に対応する目標ガンマ曲線を生成する段階は、複数組の第三色度座標値と複数組の第四色度座標値を比較し、複数組の第六色度座標値と複数組の第四色度座標値を比較して第二色空間に対応する目標ガンマ曲線を生成する段階を含むことを特徴とする請求項１に記載の色補正方法。
【請求項１１】
前記第一色度空間における各色度座標値は線形従属であって、前記第二色度空間における各色度座標値は線形独立であることを特徴とする請求項１０に記載の色補正方法。
【請求項１２】
前記第一色空間はＣＩＥ−ｘｙＹ色空間であることを特徴とする請求項１１に記載の色補正方法。
【請求項１３】
前記第二色空間はＣＩＥ−ＲＧＢ色空間であることを特徴とする請求項１１に記載の色補正方法。
【請求項１４】
前記複数組の第一色度座標値と、複数組の第二色度座標値と、複数組の第五色度座標値をそれぞれ、複数組の第三色度座標値と、複数組の第四色度座標値と、複数組の第六色度座標値に変換する段階は更に、
複数組の第一色度座標値と、複数組の第二色度座標値と、複数組の第五色度座標値をそれぞれ、いずれも第三色空間に対応する複数組の第七色度座標値と、複数組の第八色度座標値と、複数組の第九色度座標値に変換する段階と、
複数組の第七色度座標値と、複数組の第八色度座標値と、複数組の第九色度座標値をそれぞれ、複数組の第三色度座標値と、複数組の第四色度座標値と、複数組の第六色度座標値に変換する段階とを含むことを特徴とする請求項１０に記載の色補正方法。
【請求項１５】
前記第三色空間はＣＩＥ−ＸＹＺ色空間であることを特徴とする請求項１４に記載の色補正方法。
【請求項１６】
前記複数の第二パターンをそれぞれ測定して複数組の第二色度座標値を生成する段階は更に、
複数の第二パターンをそれぞれ測定して対応する基準色度座標値を生成する段階と、
複数組の第二色度座標値を生成するために、複数の第二パターンに対応する複数の基準色度座標値に対して線形補間動作を実行する段階とを含むことを特徴とする請求項１０に記載の色補正方法。
【請求項１７】
前記複数組の第二色度座標値を複数組の第四色度座標値に変換する段階は更に、
複数組の第二色度座標値をそれぞれ、複数組の第七色度座標値に変換する段階と、
複数組の第四色度座標値を生成するために、複数の第七色度座標値に対して線形補間動作を実行する段階とを含むことを特徴とする請求項１０に記載の色補正方法。
【請求項１８】
前記複数のガンマ曲線はそれぞれ、すべての入力が同じ出力に対応することを定めることを特徴とする請求項１に記載の色補正方法。
【発明の詳細な説明】
【技術分野】
【０００１】
本発明は色補正方法に関し、特に色空間変換と色度座標値比較の動作を利用し、基準表示装置の色特性に基づいて目標表示装置の目標ガンマ曲線を設定するための色補正方法に関する。
【背景技術】
【０００２】
周知のように、液晶モニターなどの表示装置の色補正方法は、液晶パネルの赤、緑、青（Ｒ、Ｇ、Ｂ）ガンマ曲線を調整することで色補正を行う。図１を参照する。図１は従来のＲ、Ｇ、Ｂガンマ曲線の略図である。図１に示すように、当業界で通常利用されるＲ、Ｇ、Ｂガンマ曲線のＸ軸座標値は０〜２５５のグレーレベル入力信号であって、Ｙ軸座標値は０〜１０２３のグレーレベル出力信号である。言い換えれば、Ｒ、Ｇ、Ｂガンマ曲線は８ビット入力信号から１０ビット出力信号に変換する信号変換曲線である。
【０００３】
一般に、液晶パネルのＲ、Ｇ、Ｂガンマ曲線を調整することで液晶パネルに対して色補正を行う従来の色補正方法は主として２種類がある。第一種類の従来の色補正方法は、目標液晶パネルの色特性を補正するために、人間の感覚と経験で色補正が必要と判断した目標液晶パネルのＲ、Ｇ、Ｂガンマ曲線を肉眼で調整する。しかし、この方法は明らかに多くの労力と時間を要し、それに加えてエラーが容易に発生するので、色補正の結果は大いに不安定になる。
【０００４】
第二種類の従来の色補正方法は、基準液晶パネルにおいて複数の基準パターンを出力するために、複数諧調（例えば２５６階調）のＲ、Ｇ、Ｂグレーレベル入力信号をゴールデンサンプルとして用いられる基準液晶パネルに入力する。次に、従来の色補正方法ではＣＩＥ−ｘｙＹ色空間に対応する複数組の第一色度座標値を生成するために、測色計で基準パターンを測定し、更に複数組の第一色度座標値に近いかそれに等しい複数組の第二色度座標値を生成しようと試みるために、目標液晶パネルのＲ、Ｇ、Ｂのガンマ曲線を試行錯誤法でそれぞれ変更する。しかし、ＣＩＥ−ｘｙＹ色空間の各色度座標値は線形従属であるので、従来の試行錯誤法で基準液晶パネルの特性に合致したＲ、Ｇ、Ｂガンマ曲線を検出するときに、大量の測定データとＲＧＢ三色の個別測定が必要とされる（すなわち２５６×１０２４×３点のデータが必要とされる）。言い換えれば、この従来の色補正方法では、目標液晶パネルの色特性を基準液晶パネルの色特性に実質的に一致させるように目標液晶パネルのＲ、Ｇ、Ｂガンマ曲線を調整するに長時間を要する。
【発明の開示】
【発明が解決しようとする課題】
【０００５】
したがって、本発明の目的の一つは、目標表示装置の色特性を補正するに必要な測定データと時間を効率良く節減するために、色空間変換と色度座標値比較の動作を利用し、基準表示装置の色特性に基づいて目標表示装置の目標ガンマ曲線を設定するための色補正方法を提供することにある。
【課題を解決するための手段】
【０００６】
本発明の実施例によれば、目標表示装置の目標ガンマ曲線を設定するための色補正方法が掲示されている。この色補正方法は、基準表示装置において複数の第一入力信号にそれぞれ対応する複数の第一パターンを出力するために、複数の第一入力信号を基準表示装置に入力する段階と、第一色空間に対応する複数組の第一色度座標値を生成するために、複数の第一パターンをそれぞれ測定する段階と、基準表示装置において、第二色空間に対応する複数のガンマ曲線にそれぞれ対応する複数の第二パターンを出力するために、目標表示装置の複数のガンマ曲線をそれぞれ設定し、複数の第二入力信号を目標表示装置に出力する段階と、複数の第二パターンをそれぞれ測定して第一色空間に対応する複数組の第二色度座標値を生成する段階と、複数組の第一色度座標値と複数組の第二色度座標値をそれぞれ、両方とも第二色空間に対応する複数組の第三色度座標値と複数組の第四色度座標値に変換する段階と、複数組の第三色度座標値と複数組の第四色度座標値を比較して第二色空間に対応する少なくとも１本の目標ガンマ曲線を生成する段階とを含むことを特徴とする色補正方法。
【発明を実施するための最良の形態】
【０００７】
後述と特許請求の範囲の全般にわたって特定の用語で特定素子を指す。当業者に理解されるように、ハードウェアメーカーは同一素子を別の名称で呼びうる。本明細書では名称の異なる素子を区別しようとせず、機能の異なる素子を区別する。後述と特許請求の範囲では、「含む」、「備える」、「有する」などの用語は開放式であって、「含むがそれに限らない」と解すべきである。また、「結合」という用語は直接的または間接的な電気的接続を意味する。したがって、第一装置と第二装置が結合されている場合、その接続が直接的な電気的接続でなされるか、または他装置との接続を介した間接的な電気的接続でなされて良い。
【０００８】
本発明は色空間変換と色度座標値比較の動作を利用し、基準表示装置の色特性に基づいて目標表示装置の目標ガンマ曲線を設定する色補正方法に関する。本明細書では本発明を適用したいくつかの実施例を記述する。しかし、当業者は、本発明が以下の段落で記述する特定の実施例かこれらの実施例の特徴を実施する特定の方法に限らず、各種の表示装置に適用できることを理解すべきである。
【０００９】
一般に、本発明による方法はすべての表示装置に適用できる。例えば、本発明による方法はＣＲＴモニター、液晶モニター、ＰＤＰモニター、ＰＬＥＤモニター、ＯＬＥＤモニター、またはプロジェクターなどに適用できる。本明細書では液晶モニターに適用する方法を掲示する。しかし、これは説明のみを目的として本発明を限定するものではない。それに加えて、本発明の技術的掲示に影響しない条件下で、本明細書では液晶モニターを、本発明による方法の動作原理を説明するための一例として利用する。
【００１０】
第一の実施例では、本発明による色補正方法は、基準液晶モニターにおいて２５６階調白画面のグレーレベル入力信号に対応する２５６枚の第一パターンをそれぞれ出力するために、既知の２５６階調白画面の複数のグレーレベル入力信号（例えば、パターン発生器で生成した２５６個のグレーレベル入力信号。ガンマ曲線における２５６個のグレーレベル入力信号のＸ軸座標値はそれぞれ０〜２５５と知られている）を、ゴールデンサンプルとして用いられる基準液晶モニターに入力する。次に、本発明による色補正方法ではＣＩＥ−ｘｙＹ色空間に対応する２５６組の第一色度座標値を生成するために２５６枚の第一パターン（すなわち２５６枚の基準パターン）をそれぞれ測定し、更に基準液晶モニターにおいて２５６本のガンマ曲線にそれぞれ対応する２５６枚の第二パターンを出力するために、目標液晶モニターの２５６本のガンマ曲線をそれぞれ設定し、任意の白画面の複数のグレーレベル入力信号を目標液晶モニターに入力する。２５６本のガンマ曲線はＣＩＥ−ＲＧＢ色空間に対応する。２５６本のガンマ曲線はそれぞれ、すべての入力が同じ出力に対応することを定める。言い換えれば、水平軸で入力グレーレベルを示し、垂直軸で出力グレーレベルを示せば、２５６本のガンマ曲線の傾きはすべて０となる。次に、本発明による色補正方法では２５６枚の第二パターンをそれぞれ測定してＣＩＥ−ｘｙＹ色空間に対応する２５６組の第二色度座標値を生成し、更に２５６組の第一色度座標値を２５６組の第三色度座標値に変換し、２５６組の第二色度座標値を２５６組の第五色度座標値に変換する。そのうち２５６組の第三色度座標値と２５６組の第五色度座標値は両方ともＣＩＥ−ＲＧＢ色空間に対応する。次に、本発明による色補正方法では２５６組の第五色度座標値に対して線形補間動作を実行して１０２４組の第四色度座標値を生成する。その後、本発明による色補正方法ではＣＩＥ−ＲＧＢ色空間にそれぞれ対応するＲ、Ｇ、Ｂ３本の目標ガンマ曲線を生成するために、２５６組の第三色度座標値と１０２４組の第四色度座標値を比較することができる。
【００１１】
例えば、図２を参照する。図２は本発明の実施例による２５６組の第三色度座標値と１０２４組の第四色度座標値の略図である。図２に示すように、本発明による色補正方法で２５６組の第三色度座標値と１０２４組の第四色度座標値を比較するとき、２５６組の第三色度座標値のうち第０階調のＲ値が１０２４組の第四色度座標値のうち第１階調のＲ値に全く等しいので、Ｒの目標ガンマ曲線の第１点の座標値として（０、１）が得られ、２５６組の第三色度座標値のうち第１階調のＲ値が１０２４組の第四色度座標値のうち第３階調のＲ値に全く等しいので、Ｒの目標ガンマ曲線の第２点の座標値として（１、３）が得られることが明らかである。本発明による色補正方法はこの原則に従って継続され、他の対応関係でも容易に得られる。このようにして、Ｒの目標ガンマ曲線の各点の座標値が得られ、各点の座標値を連結すればＲの目標ガンマ曲線が得られる。同じく、図３に示すように、Ｇの目標ガンマ曲線とＢの目標ガンマ曲線は同様の方法で生成される。したがって、本発明による色補正方法は目標液晶モニターの色特性と基準液晶モニターの色特性を実質的に同一にするために、Ｒ、Ｇ、Ｂの目標ガンマ曲線に基づいて目標液晶モニターを調整する。ここで注意すべきは、上記実施例は説明のみを目的とし、本発明を限定するものではない。
【００１２】
図４を参照する。図４は本発明の上記実施例の動作機構による色空間変換と色度座標値比較の動作を利用し、基準表示装置の色特性に基づいて目標表示装置の目標ガンマ曲線を設定する色補正方法の第一の実施例のフローチャートである。同様の結果が得られる限りでは、下記プロセスフローチャートの段階は順番どおりで連続的に実行する必要がなく、他段階が介在してもよい。本発明による方法の第一の実施例は下記の段階を含む。
ステップ４００：開始。
ステップ４１０：基準表示装置において複数の第一入力信号にそれぞれ対応する複数の第一パターンを出力するために、複数の第一入力信号を基準表示装置に入力する。
ステップ４２０：第一色空間に対応する複数組の第一色度座標値を生成するために、複数の第一パターンをそれぞれ測定する。そのうち第一色空間はＣＩＥ−ｘｙＹ色空間であって、各色度座標値は線形従属である。
ステップ４３０：基準表示装置において複数のガンマ曲線にそれぞれ対応する複数の第二パターンを出力するために、目標表示装置の複数のガンマ曲線をそれぞれ設定し、複数の第二入力信号を目標表示装置に出力する。そのうち複数のガンマ曲線は第二色空間に対応し、第二色空間はＣＩＥ−ＲＧＢ色空間であり、各色度座標値は線形独立である。
ステップ４４０：複数の第二パターンをそれぞれ測定して第一色空間に対応する複数組の第二色度座標値を生成する。
ステップ４５０：複数組の第一色度座標値と複数組の第二色度座標値をそれぞれ、複数組の第三色度座標値と複数組の第四色度座標値に変換する。そのうち複数組の第三色度座標値と複数組の第四色度座標値は両方とも第二色空間に対応する。
ステップ４６０：複数組の第三色度座標値と複数組の第四色度座標値を比較して第二色空間に対応する少なくとも１本の目標ガンマ曲線を生成する。
ステップ４７０：終了。
【００１３】
なお、ここで注意すべきは、本発明の他実施例では、複数の第二パターンをそれぞれ測定して第一色空間に対応する複数組の第二色度座標値を生成するステップ４４０は更に、複数の第二パターンをそれぞれ測定して対応する基準色度座標値を生成する段階と、複数組の第二色度座標値を生成するために、複数の第二パターンに対応する複数の基準色度座標値に対して線形補間動作を実行する段階を含むことができる。また、複数組の第一色度座標値と複数組の第二色度座標値をそれぞれ、複数組の第三色度座標値と複数組の第四色度座標値に変換するステップ４５０は更に、複数組の第一色度座標値と複数組の第二色度座標値をそれぞれ、複数組の第五色度座標値と複数組の第六色度座標値に変換する段階と、複数組の第五色度座標値と複数組の第六色度座標値をそれぞれ、複数組の第三色度座標値と複数組の第四色度座標値に変換する段階を含むことができる。そのうち複数組の第五色度座標値と複数組の第六色度座標値は両方とも第三色空間に対応し、第三色空間はＣＩＥ−ＸＹＺ色空間である。
【００１４】
第二の実施例では、本発明による色補正方法は、基準液晶モニターにおいて１０階調白画面のグレーレベル入力信号に対応する１０枚の第一パターンをそれぞれ出力するために、未知の２５６階調白画面の複数のグレーレベル入力信号（例えば、ＤＶＤプレイヤーで生成した１０個のグレーレベル入力信号。ガンマ曲線における１０個のグレーレベル入力信号のＸ軸座標値は未知である）を、ゴールデンサンプルとして用いられる基準液晶モニターに入力する。次に、本発明による色補正方法ではＣＩＥ−ｘｙＹ色空間に対応する１０組の第一色度座標値を生成するために１０枚の第一パターン（すなわち１０枚の基準パターン）をそれぞれ測定し、更に基準液晶モニターにおいて３２本のガンマ曲線にそれぞれ対応する３２枚の第二パターンを出力するために、目標液晶モニターの３２本のガンマ曲線をそれぞれ設定し、任意の白画面の複数のグレーレベル入力信号を目標液晶モニターに入力する。３２本のガンマ曲線はＣＩＥ−ＲＧＢ色空間に対応する。３２本のガンマ曲線はそれぞれ、すべての入力が同じ出力に対応することを定める。言い換えれば、水平軸で入力グレーレベルを示し、垂直軸で出力グレーレベルを示せば、１０本のガンマ曲線の傾きはすべて０となる。次に、本発明による色補正方法では１０枚の第二パターンをそれぞれ測定してＣＩＥ−ｘｙＹ色空間に対応する３２組の第二色度座標値を生成し、更に目標液晶モニターにおいて１０階調の白画面の複数のグレーレベル入力信号に対応する１０枚の第三パターンをそれぞれ出力するために、同様の方法で上記未知の１０階調白画面の複数のグレーレベル入力信号を目標液晶モニターに入力する。次に、本発明による色補正方法では１０枚の第三パターンをそれぞれ測定してＣＩＥ−ｘｙＹ色空間に対応する１０組の第五色度座標値を生成し、更に１０組の第一色度座標値を１０組の第三色度座標値に変換し、３２組の第二色度座標値を３２組の第七色度座標値に変換し、１０組の第五色度座標値を１０組の第六色度座標値に変換する。そのうち１０組の第三色度座標値と、３２組の第七色度座標値と、１０組の第六色度座標値はいずれもＣＩＥ−ＲＧＢ色空間に対応する。次に、本発明による色補正方法では３２組の第七色度座標値に対して線形補間動作を実行して１０２４組の第四色度座標値を生成する。その後、本発明による色補正方法ではＣＩＥ−ＲＧＢ色空間にそれぞれ対応するＲ、Ｇ、Ｂ３本の目標ガンマ曲線を生成するために、１０組の第三色度座標値と１０２４組の第四色度座標値を比較することができる。例えば、図５を参照する。図５は本発明の実施例による１０組の第三色度座標値と、１０２４組の第四色度座標値と、１０組の第六色度座標値の略図である。図５に示すように、本発明による色補正方法で１０組の第三色度座標値と１０２４組の第四色度座標値を比較するとき、１０組の第三色度座標値のうち第０階調のＲ値が１０２４組の第四色度座標値のうち第２階調のＲ値に全く等しいので、Ｒの目標ガンマ曲線の第１点のＹ軸座標値として２が得られ、１０組の第六色度座標値のうち第０階調のＲ値が１０２４組の第四色度座標値のうち第２０階調のＲ値に全く等しいので、Ｒの目標ガンマ曲線の第１点のＸ軸座標値として５が得られる（８ビット入力信号から１０ビット出力信号に変換する信号変換曲線が直線の場合、その傾きは４に等しいので、Ｘ軸座標値は２０を４で分けた結果に等しい）。したがって、Ｒの目標ガンマ曲線の第１点の座標値として（５、２）が得られる。そして、１０組の第三色度座標値のうち第１階調のＲ値が１０２４組の第四色度座標値のうち第１２階調のＲ値に全く等しいので、Ｒの目標ガンマ曲線の第２点のＹ軸座標値として１２が得られ、１０組の第六色度座標値のうち第２階調のＲ値が１０２４組の第四色度座標値のうち第３２階調のＲ値に全く等しいので、Ｒの目標ガンマ曲線の第２点のＸ軸座標値として８が得られる（すなわち３２を４で分けた結果）。したがって、Ｒの目標ガンマ曲線の第２点の座標値として（８、１２）が得られる。本発明による色補正方法はこの原則に従って継続され、他の対応関係でも容易に得られる。このようにして、Ｒの目標ガンマ曲線の各点の座標値が得られ、各点の座標値を連結すればＲの目標ガンマ曲線が得られる。同じく、図６に示すように、Ｇの目標ガンマ曲線とＢの目標ガンマ曲線は同様の方法で生成される。したがって、本発明による色補正方法は目標液晶モニターの色特性と基準液晶モニターの色特性を実質的に同一にするために、Ｒ、Ｇ、Ｂの目標ガンマ曲線に基づいて目標液晶モニターを調整する。ここで注意すべきは、上記実施例は説明のみを目的とし、本発明を限定するものではない。
【００１５】
図７を参照する。図７は本発明の上記実施例の動作機構による色空間変換と色度座標値比較の動作を利用し、基準表示装置の色特性に基づいて目標表示装置の目標ガンマ曲線を設定する色補正方法の第二の実施例のフローチャートである。同様の結果が得られる限り、下記プロセスフローチャートの段階は順番どおりで連続的に実行する必要がなく、他段階が介在してもよい。本発明による方法の第二の実施例は下記の段階を含む。
ステップ７００：開始。
ステップ７１０：基準表示装置において複数の第一入力信号にそれぞれ対応する複数の第一パターンを出力するために、複数の第一入力信号を基準表示装置に入力する。
ステップ７２０：第一色空間に対応する複数組の第一色度座標値を生成するために、複数の第一パターンをそれぞれ測定する。そのうち第一色空間はＣＩＥ−ｘｙＹ色空間であって、各色度座標値は線形従属である。
ステップ７３０：基準表示装置において複数のガンマ曲線にそれぞれ対応する複数の第二パターンを出力するために、目標表示装置の複数のガンマ曲線をそれぞれ設定し、複数の第二入力信号を目標表示装置に出力する。そのうち複数のガンマ曲線は第二色空間に対応し、第二色空間はＣＩＥ−ＲＧＢ色空間であり、各色度座標値は線形独立である。
ステップ７４０：複数の第二パターンをそれぞれ測定して第一色空間に対応する複数組の第二色度座標値を生成する。
ステップ７５０：基準表示装置において複数の第一入力信号にそれぞれ対応する複数の第三パターンを出力するために、複数の第一入力信号を基準表示装置に入力する。
ステップ７６０：複数の第三パターンをそれぞれ測定して第一色空間に対応する複数組の第五色度座標値を生成する。
ステップ７７０：複数組の第七色度座標値と、複数組の第八色度座標値と、複数組の第九色度座標値をそれぞれ、複数組の第三色度座標値と複数組の第四色度座標値と、複数組の第六色度座標値に変換する。そのうち複数組の第三色度座標値と、複数組の第四色度座標値と、
複数の第六色度座標値はいずれも第二色空間に対応する。
ステップ７８０：第二色空間に対応する少なくとも１本の目標ガンマ曲線を生成するために、複数組の第三色度座標値と複数組の第四色度座標値を比較し、複数組の第六色度座標値と複数組の第四色度座標値を比較する。
ステップ７９０：終了。
【００１６】
なお、ここで注意すべきは、本発明の他実施例では、複数の第二パターンをそれぞれ測定して第一色空間に対応する複数組の第二色度座標値を生成するステップ７４０は更に、複数の第二パターンをそれぞれ測定して対応する基準色度座標値を生成する段階と、複数組の第二色度座標値を生成するために、複数の第二パターンに対応する複数の基準色度座標値に対して線形補間動作を実行する段階を含むことができる。また、複数組の第七色度座標値と、複数組の第八色度座標値と、複数組の第九色度座標値をそれぞれ、複数組の第三色度座標値と複数組の第四色度座標値と、複数組の第六色度座標値に変換するステップ７７０は更に、複数組の第一色度座標値と、複数組の第二色度座標値と、複数組の第五色度座標値をそれぞれ、複数組の第七色度座標値と、複数組の第八色度座標値と、複数組の第九色度座標値に変換する段階と、複数組の第七色度座標値と、複数組の第八色度座標値と、複数組の第九色度座標値をそれぞれ、複数組の第三色度座標値と、複数組の第四色度座標値と、複数組の第六色度座標値に変換する段階を含むことができる。そのうち複数組の第七色度座標値と、複数組の第八色度座標値と、複数組の第九色度座標値はいずれも第三色空間に対応し、第三色空間はＣＩＥ−ＸＹＺ色空間である。
【００１７】
要約すれば、本発明で掲示した色補正方法は各色度座標値が線形独立であるＣＩＥ−ＲＧＢ色空間の特性を利用するので、本発明による色補正方法は目標表示装置の色特性を基準表示装置の色特性を実質的に同一にするために、白画面の各種のグレーレベルのみ測定し、異なった色空間の変換と色度座標値の比較を利用し、基準表示装置の色特性に基づいて目標表示装置のＲ、Ｇ、Ｂ目標ガンマ曲線を設定することができる。したがって、本発明による色補正方法は目標表示装置の色特性を補正するに必要な測定データと時間を有効に節減することができる。
【００１８】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【図面の簡単な説明】
【００１９】
【図１】従来のＲ、Ｇ、Ｂガンマ曲線の略図である。
【図２】本発明の実施例による２５６組の第三色度座標値と１０２４組の第四色度座標値の略図である。
【図３】Ｒ、Ｇ、Ｂ目標ガンマ曲線の略図である。
【図４】本発明の前掲実施例の動作機構による色空間変換と色度座標値比較の動作を利用し、基準表示装置の色特性に基づいて目標表示装置の目標ガンマ曲線を設定する色補正方法の第一の実施例のフローチャートである。
【図５】本発明の実施例による１０組の第三色度座標値と、１０２４組の第四色度座標値と、１０組の第六色度座標値の略図である。
【図６】Ｒ、Ｇ、Ｂ目標ガンマ曲線の略図である。
【図７】本発明の前掲実施例の動作機構による色空間変換と色度座標値比較の動作を利用し、基準表示装置の色特性に基づいて目標表示装置の目標ガンマ曲線を設定する色補正方法の第二の実施例のフローチャートである。
【図１】
2008312196.tif 000003
【図２】
2008312196.tif 000004
【図３】
2008312196.tif 000005
【図４】
2008312196.tif 000006
【図５】
2008312196.tif 000007
【図６】
2008312196.tif 000008
【図７】
2008312196.tif 000009